(57)【要約】      （修正有）【課題】巻胴を片側だけでなく、取り出す手前側、奥側の両方共に縮まる、平行収縮構造とすることで線条体の束巻きを極めてスムーズに取り外すことができる線条体の束巻き状態での離脱可能なリールドラムを提供する。【解決手段】線条体を巻き付けるリールドラムＡの一方の鍔２ｂをボルト１３を緩めることにより巻胴部１から取り外し自在なリールドラムにおいて、巻胴部１を、その中心軸を中心に複数に等間隔で分割し、かつ分割された巻胴片１ａはその外周幅を小さくして各巻胴片の間をあけ、各巻胴片１ａはドラムのシャフトを通し、巻胴部１の中心軸をなす円筒体３外周に沿って複数個所から放射状に伸びた支持リンク４に支持され、一方の鍔２ｂを外して、巻胴部１に巻き付けた線条体を引き出す際、各巻胴片１ａの各支持リンク４は倒れて、各巻胴片１ａが円筒体３に対して常に平行に維持されつつ円筒体３を中心に複数の各巻胴片１ａの外径が縮まる。【選択図】図１
2015105177.tif 000002
【特許請求の範囲】
【請求項１】
線条体を巻き付けるリールドラムの一方の鍔をボルト又はナットを緩めることにより巻胴から取り外し自在なリールドラムにおいて、
前記巻胴を、その中心軸を中心に複数に等間隔で分割し、かつ分割された巻胴片はその外周幅を小さくして各巻胴片の間をあけ、
各巻胴片はドラムのシャフトを通し、前記巻胴の中心軸をなす円筒体の外周に沿って複数個所から放射状に伸びた支持リンクに支持され、各支持リンクは前記円筒体及び前記各巻胴片に対して夫々回転自在に接続され、
前記一方の鍔を外して、前記巻胴に巻き付けた線条体を引き出す際、各巻胴片の各支持リンクは、取り外された鍔方向に倒れて各巻胴片が前記円筒体に対して常に平行に維持されつつ前記円筒体を中心に複数の各巻胴片の外周により形成される円周の外径が縮まる構成としたことを特徴とする、線条体の束巻き状態での離脱可能なリールドラム。
【請求項２】
前記各巻胴片は、前記円筒体の長手方向に設けた２個の支持リンクにより支持されていることを特徴とする、請求項１に記載の線条体の束巻き状態での離脱可能なリールドラム。
【請求項３】
前記各巻胴片の外周面に、前記円筒体と同心円を形成する円弧断面を有する湾曲板が設けられ、当該湾曲板の湾曲両端は、前記各巻胴片の外周両端から外方に突出していることを特徴とする、請求項１又は２に記載の線条体の束巻き状態での離脱可能なリールドラム。
【請求項４】
前記支持リンクの倒れ角度を規制するストッパーが設けられていることを特徴とする、請求項１〜３のいずれかに記載の線条体の束巻き状態での離脱可能なリールドラム。
【請求項５】
前記リールドラムの両側の鍔の、前記各巻胴片に対応した位置に、各鍔の中心から放射状に放射管を設け、各巻胴片の両端に、前記放射管の両側を係止自在な係止凹部が設けられていることを特徴とする、請求項１〜４のいずれかに記載の線条体の束巻き状態での離脱可能なリールドラム。
【発明の詳細な説明】
【技術分野】
【０００１】
この発明は、送電線の工事等において、経年した電線やケーブル等の線条体をリールに巻き取り、この線条体を束巻き状態でリールから取り出す場合に、リールの巻胴から容易に離脱できるリールドラムに関するものである。
【背景技術】
【０００２】
従来、束巻き状態で線条体を取り出す目的のリールドラムでは、鍔の片方が締め付けボルト等を緩めることで外せるようになっている。そして、このようなリールドラムの中でも、図１４に示すように、巻胴部分を、取り出す方向に細くしたテーパ式リールＤを採用したものや、図１５に示すように、パラソルのような「数枚の羽根状の鍔」を外側に折りたたむ構造となっていて、鍔を外すと片側が内方に縮まりテーパ状に細くなり、取り出しやすくしているパラソル式リールがある。
【０００３】
また、特許文献１のものは、前記テーパ式巻胴の変形であり、ドラム全体が装置の上に載っていて、両側の各鍔と巻胴の半分とが一体となり支持され、巻胴の中央部分で分離又は接合可能となったドラムである。この各半分の巻胴がそれぞれ突合せ部に向けて細くなったテーパ状のものとなっている。そして、トロリー線を当該ドラムに巻き取ると、各半分の巻胴を離し、これによりトロリー線の巻束が各巻胴のテーパに沿って滑り降り、ドラムから外れるものである。
【先行技術文献】
【特許文献】
【０００４】
【特許文献１】特開２００４−７５３０４号公報
【発明の開示】
【発明が解決しようとする課題】
【０００５】
しかしながら、特許文献１のものを含め、従来のテーパ式リールＤのものは、巻かれている線条体がテーパ状にテーパ式巻胴の外周に沿って密着して巻かれており、その状態で巻束を取り外すため外れにくい。また、パラソル式リールＥのものは、巻胴の一端が細くなるため外し易いが、線条体の奥側の巻胴が縮まらない構造になっているため、この部分が抵抗となって、外れ難くなっている。
【０００６】
このため、テーパ式リールＤの場合やパラソル式リールＥの場合は、作業者が線条体を巻き付ける前に、巻胴部分にグリース等の油分を塗布してスムーズに外せるように工夫しているのが実情である。
【０００７】
そこで、この発明はこの様な従来の課題を解決し、巻胴を片側だけでなく、取り出す手前側、奥側の両方共に縮まる、平行収縮構造とすることで線条体の束巻きを極めてスムーズに取り外すことができる線条体の束巻き状態での離脱可能なリールドラムを提供することを目的としたものである。
【課題を解決するための手段】
【０００８】
請求項１の発明は、線条体を巻き付けるリールドラムの一方の鍔をボルト又はナットを緩めることにより巻胴から取り外し自在なリールドラムにおいて、前記巻胴を、その中心軸を中心に複数に等間隔で分割し、かつ分割された巻胴片はその外周幅を小さくして各巻胴片の間をあけ、各巻胴片はドラムのシャフトを通し、前記巻胴の中心軸をなす円筒体の外周に沿って複数個所から放射状に伸びた支持リンクに支持され、各支持リンクは前記円筒体及び前記各巻胴片に対して夫々回転自在に接続され、前記一方の鍔を外して、前記巻胴に巻き付けた線条体を引き出す際、各巻胴片の各支持リンクは、取り外された鍔方向に倒れて各巻胴片が前記円筒体に対して常に平行に維持されつつ前記円筒体を中心に複数の各巻胴片の外周により形成される円周の外径が縮まる構成とした、線条体の束巻き状態での離脱可能なリールドラムとした。
【０００９】
請求項２の発明は、前記各巻胴片は、前記円筒体の長手方向に設けた２個の支持リンクにより支持されている、請求項１に記載の線条体の束巻き状態での離脱可能なリールドラムとした。
【００１０】
請求項３の発明は、前記各巻胴片の外周面に、前記円筒体と同心円を形成する円弧断面を有する湾曲板が設けられ、当該湾曲板の湾曲両端は、前記各巻胴片の外周両端から外方に突出している、請求項１又は２に記載の線条体の束巻き状態での離脱可能なリールドラムとした。
【００１１】
請求項４の発明は、前記支持リンクの倒れ角度を規制するストッパーが設けられている、請求項１〜３のいずれかに記載の線条体の束巻き状態での離脱可能なリールドラムとした。
【００１２】
請求項５の発明は、前記リールドラムの両側の鍔の、前記各巻胴片に対応した位置に、各鍔の中心から放射状に放射管を設け、各巻胴片の両端に、前記放射管の両側を係止自在な係止凹部が設けられている、請求項１〜４のいずれかに記載の線条体の束巻き状態での離脱可能なリールドラムとした。
【発明の効果】
【００１３】
請求項１発明によれば、当該リールドラムに線条体を巻き付け、当該巻き付けた線条体をリールドラムから取り外す場合には、まず、巻き付けた線条体を束巻き状態で固縛し、その後、一方の着脱自在な鍔をボルト又はナットを緩めて巻胴部から取り外す。そして、束巻きになった線条体を、取り外した鍔側に引き出す。
【００１４】
これにより、各支持リンクは円筒体及び各巻胴片に対して回転自在に接続されているため、各支持リンクが外れた鍔側に倒れ、各巻胴片は前記円筒体に対して平行を維持しながら内側にすぼまり、複数の各巻胴片の外周により構成される円周の外径が、束巻きされた線条体の内周径より小さくなる。それ故、前記束巻きされた線条体の内周が各巻胴片の外周から離れ、又は離れやすくなり、作業者は束巻きされた線条体を容易に巻胴部から外すことが出来る。従って、従来のように、巻胴部部分にグリース等の油分を塗布する必要がなく、手間が省けるものである。
【００１５】
また、請求項２の発明によれば、各巻胴片は前記円筒体の長手方向に設けた２個の支持リンクにより支持され、各支持リンクは、その一端を円筒体、他端を巻胴片に回転自在に接続されているため、各支持リンクが円筒体の外周から垂直伸びている場合でも、また、傾斜している場合でも、各巻胴片は円筒体に対して平行に維持される。これにより、束巻きされた線条体内周が各巻胴片外周からより確実に離れることが出来る。
【００１６】
また、請求項３の発明によれば、前記各巻胴片の外周面に、前記円筒体と同心円を形成する円弧断面を有する湾曲板が設けられ、当該各湾曲板の湾曲両端は、前記各巻胴片の外周両端から外方に突出しているため、各巻胴片の外周幅が短くても、各湾曲板が外側に伸びているため、各湾曲板により構成される円弧が、より円周外郭よりに近い状態になり、巻き付ける線条体を傷つけることが無い。
【００１７】
また、請求項４の発明によれば、前記支持リンクの倒れ角度を規制するストッパーが設けられているため、上述の様に、一方の着脱自在な鍔を巻胴から取り外して、束になった線条体を引き出すと、各支持リンクが外れた鍔側に倒れるが、この倒れる角度が前記ストッパーにより規制され、一定角度で止まる。従って、線条体を巻胴部から外した後、取り外した鍔を再び巻胴部に取り付ける際、当該鍔で各巻胴片を押すと、各支持リンクは前記円筒体に対して直立し、容易に元の状態に戻り、前記鍔を巻胴部に取り付けることが出来る。
【００１８】
また、請求項５の発明によれば、前記リールドラムの両側の鍔の、前記各巻胴片に対応した位置に、各鍔の中心から放射状に放射管を設け、各巻胴片の両端に、前記放射管の両側を係止する係止凹部が設けられているため、リールドラムの組立状態では、複数の各巻胴片の両端の係止凹部が各鍔の放射管の両側に係止されるため、複数の各巻胴片と両側の鍔とが強固に接続され、リールドラムの強度を増すことが出来る。また、一方の鍔を外す際に、当該係止凹部から鍔の各放射管が外れやすく、邪魔にならない。
【図面の簡単な説明】
【００１９】
【図１】この発明の実施の形態例１のリールドラムの正面断面図である。
【図２】この発明の実施の形態例１のリールドラムの右側面図である。
【図３】この発明の実施の形態例１のリールドラムの左側面図である。
【図４】この発明の実施の形態例１のリールドラムの図１における右側の中心部の要部断面図である。
【図５】この発明の実施の形態例１のリールドラムの図１における左側の中心部の要部断面図である。
【図６】この発明の実施の形態例１のリールドラムの図１におけるＸ−Ｘ断面図である。
【図７】この発明の実施の形態例１のリールドラムの図１におけるＹ−Ｙ断面図である。
【図８】この発明の実施の形態例１のリールドラムの巻胴片を示し、（ａ）図は角筒管から離れた状態の巻胴片の平面図、（ｂ）図は角筒管に係止した状態の巻胴片の平面図、（ｃ）図は（ｂ）図の正面図である。
【図９】この発明の実施の形態例１のリールドラムの一方の鍔を外した状態を示す正面図である。
【図１０】この発明の実施の形態例１のリールドラムに電線又はワイヤーを巻き付けた状態を示す正面図である。
【図１１】この発明の実施の形態例１のリールドラムに巻き付けた電線又はワイヤーを外す工程を示す説明図である。
【図１２】この発明の実施の形態例１のリールドラムに巻き付けた電線又はワイヤーを外す他の方法の工程を示す説明図である。
【図１３】この発明の実施の形態例１の他の例におけるリールドラムの側面図である。
【図１４】従来例のリールドラムの使用例を示す説明図である。
【図１５】他の従来例のリールドラムの使用例を示す説明図である。
【発明を実施するための形態】
【００２０】
（実施の形態例１）
以下、この発明の実施の形態例１のリールドラムの構造を図１〜８に基づいて説明する。
【００２１】
図１に示すように、リールドラムＡは、電線やケーブルを巻き付ける略横筒状の巻胴部１と当該巻胴部１の両端に取り付けられた円盤状の鍔２ａ及び２ｂから構成される。また、当該リールドラムＡは一方の鍔２ｂがボルト又はナットにより、巻胴部１から取り外し自在となっている。
【００２２】
前記巻胴部１は、図６及び図７に示すように、その中心軸を中心に８個に等間隔で分割され、かつ分割された各巻胴片１ａはその外周幅を小さくして隣接する各巻胴片１ａの間を空けている。各巻胴片１ａは、前記巻胴部１の中心軸を自体の中心軸とする円筒体３の外周から放射状に突出する支持リンク４の先端に支持されている。
【００２３】
前記支持リンク４は、前記円筒体３外周の長手方向に同じ長さのものが２本づつ設けられ、夫々の各支持リンク４は一端を円筒体３の両端外周に設けた軸受３ａに、他端を前記巻胴片１ａの内面の両端２箇所に設けた軸受１ｂに回転自在に軸支されている。これにより各支持リンク４が円筒体３から垂直に伸びても、傾斜して伸びても前記各巻胴片１ａは常に前記円筒体３に対して平行を維持している。
【００２４】
この様にして、８個の各巻胴片１ａは夫々円筒体３の外周から放射状に伸びた２本の支持リンク４に支持され、８個の巻胴片１ａの外周により前記円筒体３の中心軸を中心とする円の外周縁を断続的に形成している。
【００２５】
また、前記円筒体３の一端部の外周にはフランジ５が溶接により設けられ、当該フランジ５の内周面に前記軸受３ａの外端が当接されている。このフランジ５の中心部を中心として点対象にクラッチ穴６が設けられている。当該クラッチ穴６はリール駆動用ピンが嵌合するものである。また、前記円筒体３の他端部外周には、前記軸受３ａの外端に当接されたフランジ７が溶接により設けられている。このフランジ７の外周縁には等間隔で８個のネジ孔が設けられている。
【００２６】
また鍔２ａは、図２及に示すように、外周がパイプ材８で形成され、その中心に前記フランジ５が位置し、図２及び図４に示すように、このフランジ５の中心部から放射状に、前記各巻胴片１ａの位置に相応させて８個の角筒管９が伸び、各角筒管９の先端は、前記パイプ材８に固定されている。また、前記各角筒管９の内端の開口部を塞ぐように、一定幅を有するリング９ａが設けられている。また、隣接する各角筒管９の間には補強腕１０が設けられている。
【００２７】
また、鍔２ｂは、図３に示すように、鍔２ａと略同じ構成であり、外周がパイプ材８で形成され、その中心に前記環状板１１が位置し、この環状板１１の中心部から放射状に、前記各巻胴片１ａの位置に相応させて８個の角筒管１２が伸び、各角筒管１２の先端は、前記パイプ材８に固定されている。また、これらの各角筒管１２の内端の開口部を塞ぐように、一定幅を有するリング１２ａが設けられている。また、図５に示すように、環状板１１に対向する各角筒管１２の側面は切り欠かれ、当該切り欠き部分を環状板１１に当てて溶接されている。
【００２８】
また、各角筒管１２及び環状板１１には、図５に示すように、これらを貫通するボルト貫通孔（図示省略）が設けられ、前記巻胴部１のフランジ７と鍔２ｂの環状板１１とを重ねて合わせ、各角筒管１２と環状板１１の前記貫通孔及びフランジ７のネジ孔にボルト１３を通してボルト１３の端部を前記フランジ７のネジ孔に螺着して締め付け、鍔２ｂと巻胴部１を一体化している。また、各角筒管１２及び環状板１１の前記ボルト貫通孔の内周には、前記ボルト１３を通すスペーサ１４がこれらの各角筒管１２及び環状板１１と一体に設けられている。なお、フランジ７のネジ孔に代えて、単なる孔とし、前記ボルト１３の端部にナットを螺着する構成としても良い。
【００２９】
また、前記各巻胴片１ａの両端には、図８に示すように、かえる股状の係止凹部１５が設けられ、これらの両端の係止凹部１５は鍔２ａ又は鍔２ｂの各角筒管９又は１２の側面に係合自在となっており、リールドラムＡの組立の際は、係合される。また、鍔２ｂの中心部には前記環状板１１が設けられており、その外側に各角筒管１２が位置しているが、前記環状板１１に穴１１ａが設けられ、前記各係止凹部１５はこれらの各穴１１ａを通して各角筒管１２に係合する構成となっている。
【００３０】
さらに、一つの角筒管９及び１２の先端部両側には、線条体の巻き始めの端末を引っ掛けるためのフック１６が設けられている。これらのフックは線条体の先端がループを有する場合に適用される。線条体の先端がループとなっていない場合は、図１又は図２に示す、板状物で線条体の端部を挟み、ボルトで締め付ける電線クランプ１６ａを使用する。
【００３１】
そして、このリールドラムＡは、一方の鍔２ｂを巻胴部１から外し、各巻胴片１ａを鍔２ｂを外した方向に引っ張ると、図９に示すように、各巻胴片１ａを支持している２個の支持リンク４が倒れ、これと同時に各巻胴片１ａはずれて前記円筒体３を中心とする外径は縮まる。その際、円筒体３の一端外周に設けたフランジ７に各支持リンク４が倒れて当たり、前記フランジ７は各支持リンク４の回転を規制するストッパーの役目を果たす。
【００３２】
以上の構成から成るリールドラムＡの巻胴部１に、図１０に示すように、電線又はワイヤーＢを巻き付ける。この巻き付けた電線又はワイヤーＢを数か所で束巻きに固縛し、この状態で当該リールドラムＡから外す作業を行う。前記固縛に際しては、前記環状体１１の外周に数か所設けた切り込み１１ｂが、巻胴部１の内側の位置まで伸びているため、当該切り込み１１ｂに固縛ワイヤーを入れて固縛することが出来、便利である。
【００３３】
この作業は、図１１に示すように、まず（ａ）図に示すように、前記ボルト１３を外し、鍔２ｂを外す。そして、（ｂ）図に示すように、電線又はワイヤーＢから成る束巻きを外側、即ち、鍔２ｂを外した方向に引いてずらす。これにより各巻胴片１ａが外側に倒れ、各巻胴片１ａで構成された巻胴部１の外径が縮まる。
【００３４】
（ｃ）図に示すように、さらに前記束巻きを外側にずらすと、巻胴部１の外径がより小さくなり、前記束巻きと各巻胴片１ａとが離れ、束巻きを巻胴部１から外すことが出来る。そして、（ｄ）に示すように、各巻胴片１ａを元に戻し、鍔２ｂを嵌め、ボルト止めする。
【００３５】
また、図１２は、リールドラムＡを横にして、電線又はワイヤーＢを上方に持ち上げて取り外す作業の場合を示す。
【００３６】
（ａ）図に示すように、巻き取ったケーブルを３〜４か所で固縛し、その後、取り外す鍔２ｂを上にして横に倒し、その下に角材１７等を敷いておく。そして、（ｂ）図に示すように、ボルト１３を外し、鍔２ｂも取り外す。次に（ｃ）図に示すように固縛した束巻きを吊り上げが出来るようにスリングベルト又はワイヤー１８を取り付ける。
【００３７】
そして、前記束巻きをクレーンで吊り上げる。これにより（ｄ）図に示すように、巻胴部１の各巻胴片１ａも上方に移動するが、同時に巻胴部１の外径が細くなる。そして（ｅ）図に示すように、束巻きを完全に上方に持ち上げると、細く収縮したリールの巻胴部１は、束巻きとの接触が無くなると自重で元の状態に戻る。その後、（ｆ）図に示すように、鍔２ｂを載せ、ボルト１３をフランジ７のネジ孔に締め付ける。
【００３８】
図１３に示すものは、の発明の実施の形態例１の他の例におけるリールドラムＣの側面図であり、この例では、円筒体３を中心とした場合の各巻胴片１ａの外周両側に両側が突出した湾曲板１９を設けたものである。この様に各巻胴片１ａの外周面に湾曲板１９を夫々設けることにより、各巻胴片１ａの外周幅が短くても、各湾曲板１９が外側に伸びているため、各湾曲板１９により構成される円弧が、より円周外郭により近い状態になり、巻き付ける線条体を傷つけることが無い。
【００３９】
また、上記実施の形態例１では、８個の各巻胴片１ａは、夫々独立して動くが、これらの各巻胴片１ａを相互に連結させ、一体に動く構成としても良い。また、上記実施の形態例１では、巻胴部１を、その中心軸を中心に複数に等間隔で８個に分割しているが、分割の個数は、６個でも何個でも良い。
【００４０】
また、上記実施の形態例１では、鍔２ａ及び鍔２ｂに夫々線条体の巻き始めの端末を引っ掛けるためのフック１６及び電線クランプ１６ａを設けているが、これらのフック１６及び電線クランプ１６ａは鍔２ａ又は鍔２ｂのどちらか一方でも良い。また、フック１６又は電線クランプ１６ａの一方でも良い。
【符号の説明】
【００４１】
Ａ      リールドラム              Ｂ      電線又はワイヤー
Ｃ      リールドラム              Ｄ      テーパ式リール
Ｅ      パラソル式リール
１      巻胴部                    １ａ    巻胴片
１ｂ    軸受                      ２ａ    鍔
２ｂ    鍔                        ３      円筒体
３ａ    軸受                      ４      支持リンク    
５      フランジ                  ６      ピン
７      フランジ                  ８      パイプ材
９      角筒管                    ９ａ    リング
１０    補強腕                    １１    環状板
１１ａ  穴                        １１ｂ  切り込み
１２    角筒管                    １２ａ  リング
１３    ボルト                    １４    スペーサ
１５    係止凹部                  １６    フック
１６ａ  電線クランプ              １７    角材
１８    スリングベルト又はワイヤー
１９    湾曲板
【図１】
2015105177.tif 000003
【図２】
2015105177.tif 000004
【図３】
2015105177.tif 000005
【図４】
2015105177.tif 000006
【図５】
2015105177.tif 000007
【図６】
2015105177.tif 000008
【図７】
2015105177.tif 000009
【図８】
2015105177.tif 000010
【図９】
2015105177.tif 000011
【図１０】
2015105177.tif 000012
【図１１】
2015105177.tif 000013
【図１２】
2015105177.tif 000014
【図１３】
2015105177.tif 000015
【図１４】
2015105177.tif 000016
【図１５】
2015105177.tif 000017